(57)【要約】【課題】    この発明は、補正したい色領域のみ、より自然に色補正を行えるようになる色補正回路を提供することを目的とする。【解決手段】  補正を行うべき指定色を特定するためのデータ、指定色に対する補正データおよび指定色を含む補正適用範囲を示すデータからなる色補正パラメータが設定されており、設定されている色補正パラメータに基づいて、入力色差信号が補正適用範囲内にあるか否かを判別する第１手段、第１手段によって入力色差信号が補正適用範囲内にあると判別された場合には、上記色補正パラメータに基づいて、入力色差信号に対応する補正データを算出する第２手段、および第２手段によって算出された補正データを用いて、入力色差信号を補正する第３手段を備えている。【選択図】  図１
2005184209.tif 000002
【特許請求の範囲】
【請求項１】
補正を行うべき指定色を特定するためのデータ、指定色に対する補正データおよび指定色を含む補正適用範囲を示すデータからなる色補正パラメータが設定されており、設定されている色補正パラメータに基づいて、入力色差信号が補正適用範囲内にあるか否かを判別する第１手段、
第１手段によって入力色差信号が補正適用範囲内にあると判別された場合には、上記色補正パラメータに基づいて、入力色差信号に対応する補正データを算出する第２手段、および
第２手段によって算出された補正データを用いて、入力色差信号を補正する第３手段、を備えていることを特徴とする色補正回路。
【請求項２】
指定色を特定するデータが色差座標上において補正を行うべき色の位置を示すデータであり、指定色に対する補正データが指定色に対する補正ベクトルであり、指定色を含む補正適用範囲を示すデータが色差座標上において指定色を中心とした補正適用領域を規定するためのデータであることを特徴とする請求項１に記載の色補正回路。    
【請求項３】
指定色を特定するデータが補正適用領域が指定色を中心とする同一補正領域と、同一補正領域の周囲の８つの収束補正領域とからなり、
第２手段は、入力色差信号が色差座標上において同一補正領域内にある場合には、色差座標上の入力色差信号の位置と指定色に対する補正ベクトルから入力色差信号に対する補正ベクトルを算出し、入力色差信号が色差座標上においていずれかの収束補正領域内にある場合には、色差座標上の入力色差信号の位置と入力色差信号が属する収束補正領域の４頂点に対応する補正ベクトルとから入力色差信号に対する補正ベクトルを算出するものであり、入力色差信号が属する収束補正領域の４頂点のうち同一補正範囲の頂点と重複する１つの頂点に対応する補正ベクトルはその頂点の位置と指定色に対する補正ベクトルから算出され、他の３つの頂点に対応する補正ベクトルは０ベクトルであることを特徴とする請求項２に記載の色補正回路。
【発明の詳細な説明】
【技術分野】
【０００１】
この発明は、テレビジョン、ＬＣＤ表示装置、ＤＬＰ表示装置等の表示装置における色補正回路に関する。
【背景技術】
【０００２】
ＴＩＮＴ、ＣＯＬＯＲＧａｉｎ等の名称で知られている色補正回路や、特定の色相をある色相へ変換する色補正回路が開発されている。これらの従来の色補正回路は、ＮＴＳＣなどのテレビジョン方式で送信する際に色相信号のずれた映像の補正を行う場合や、ユーザの好みにより若干色を補正するものである。これらの従来の色補正回路では、入力された映像信号を色差信号を色差座標系で回転および拡大縮小することによって、画像の色を補正している。
【０００３】
しかしながら、ＬＣＤプロジェクタのように、光源ランプとＬＣＤパネル（ライトバルブ）を含む光学系を備えた投射型映像表示装置においては、従来のような若干の色補正によって、十分な補正範囲を得ることができなかった。特に、光学系が原因となる色ずれ（特に、肌色等の視覚特性上感度の高い色相での色ずれ）は、単純な回転と拡大縮小を行っても、期待した色へ調整することが困難であった。
【特許文献１】特開２００２−１７６６５６号公報
【発明の開示】
【発明が解決しようとする課題】
【０００４】
この発明は、補正したい色領域のみ、より自然に色補正を行えるようになる色補正回路を提供することを目的とする。
【課題を解決するための手段】
【０００５】
請求項１に記載の発明は、補正を行うべき指定色を特定するためのデータ、指定色に対する補正データおよび指定色を含む補正適用範囲を示すデータからなる色補正パラメータが設定されており、設定されている色補正パラメータに基づいて、入力色差信号が補正適用範囲内にあるか否かを判別する第１手段、第１手段によって入力色差信号が補正適用範囲内にあると判別された場合には、上記色補正パラメータに基づいて、入力色差信号に対応する補正データを算出する第２手段、および第２手段によって算出された補正データを用いて、入力色差信号を補正する第３手段を備えていることを特徴とする。
【０００６】
請求項２に記載の発明は、請求項１に記載の発明において、指定色を特定するデータが色差座標上において補正を行うべき色の位置を示すデータであり、指定色に対する補正データが指定色に対する補正ベクトルであり、指定色を含む補正適用範囲を示すデータが色差座標上において指定色を中心とした補正適用領域を規定するためのデータであることを特徴とする。
【０００７】
請求項３に記載の発明は、請求項２に記載の発明において、指定色を特定するデータが補正適用領域が指定色を中心とする同一補正領域と、同一補正領域の周囲の８つの収束補正領域とからなり、第２手段は、入力色差信号が色差座標上において同一補正領域内にある場合には、色差座標上の入力色差信号の位置と指定色に対する補正ベクトルから入力色差信号に対する補正ベクトルを算出し、入力色差信号が色差座標上においていずれかの収束補正領域内にある場合には、色差座標上の入力色差信号の位置と入力色差信号が属する収束補正領域の４頂点に対応する補正ベクトルとから入力色差信号に対する補正ベクトルを算出するものであり、入力色差信号が属する収束補正領域の４頂点のうち同一補正領域の頂点と重複する１つの頂点に対応する補正ベクトルはその頂点の位置と指定色に対する補正ベクトルから算出され、他の３つの頂点に対応する補正ベクトルは０ベクトルであることを特徴とする。
【発明の効果】
【０００８】
この発明によれば、補正したい色領域のみ、より自然に色補正を行えるようになる。
【発明を実施するための最良の形態】
【０００９】
以下、図面を参照して、この発明を液晶プロジェクタに適用した場合の実施例について説明する。
【実施例１】
【００１０】
図１は、液晶プロジェクタに用いられた色補正回路の構成を示している。
【００１１】
入力映像信号であるＲＧＢ信号は、色差変換回路１によって輝度信号Ｙおよび色差信号Ｕ，Ｖに変換される。色差変換回路１によって得られた色差信号Ｕ，Ｖは、色差合成回路４に送られ、後述する補正ベクトルが加算される。色差合成回路４によって得られた色差信号Ｕ，Ｖと、色差変換回路１によって得られた輝度信号Ｙとは、ＲＧＢ変換回路５に送られ、ＲＧＢ信号に変換される。
【００１２】
色差変換回路１によって得られた色差信号Ｕ，Ｖは、補正ポイント検出回路２および補正量演算回路３にも送られる。補正ポイント検出回路２には、色補正を行うべき１または複数の指定ポイント（色差座標系上での点）を示すデータと、各指定ポイント毎にどのように色変換するかを決定する補正ベクトルと、各指定ポイント毎に補正範囲を規定するためのデータ（補正範囲規定データ）とが予め設定されている。
【００１３】
補正ポイント検出回路２は、色差変換回路１から与えられ色差信号Ｕ，Ｖによって表される位置が、いずれかの指定ポイントの補正範囲に属しているか否かを判別し、属している場合には当該指定ポイントを示すデータとそれに対応する補正ベクトルと補正範囲規定データとを補正量演算回路３に送る。補正量演算回路３は、色差変換回路１によって与えられた色差信号Ｕ，Ｖと、補正ポイント検出回路２から送られてきたデータ（指定ポイントを示すデータと、補正ベクトルと、補正範囲規定データ）とに基づいて、当該色差信号Ｕ，Ｖを補正するための補正ベクトルを算出して、色差合成回路４に与える。
【００１４】
色差合成回路４は、補正量演算回路３から与えられた補正ベクトルを、色差変換回路１によって与えられた色差信号Ｕ，Ｖに加算する。
【００１５】
以下、補正ポイント検出回路２および補正量演算回路３の動作について、さらに詳細に説明する。
【００１６】
図２は、ＵＶ座標系において、１つの指定ポイントと、その指定ポイントに対応する補正範囲を示している。
【００１７】
補正範囲は、図２にハッチングで示すように、指定ポイントＸ0 を中心とする範囲であり、９つの領域Ｓ１〜Ｓ９に分けられている。補正範囲内の指定ポイントＸ0 を含む中央の領域（クロスハッチングで示す領域）Ｓ５は、その領域内の任意の位置に対する補正ベクトルが、当該位置と指定ポイントＸ0 に対応する補正ベクトルから算出される同一補正領域である。補正範囲内のその他の領域Ｓ１〜Ｓ４，Ｓ６〜Ｓ９は、その領域内の任意の位置に対する補正ベクトルが、当該位置と当該領域の４頂点に対応する補正ベクトルとから算出される収束補正領域である。
【００１８】
補正ポイントが図２に示すような補正ポイントＸ0 である場合には、補正ポイント検出回路２に設定されるデータは、以下のようになる。なお、各データは、極座標で表されている。
【００１９】
（１）補正ポイントを示すデータ：Ｘ0 ＝（Ｒx0，Θx0）
（２）補正ベクトル：＊Ｙ＝（ｒy0  ，θy0）
（３）補正範囲規定データ
・同一補正領域を規定するためのデータ
角度：Θ1 ，Θ2 
大きさ：Ｒ1 ，Ｒ2 
・補正範囲の境界を規定するためのデータ（上記補正ベクトル＊Ｙを全く反映させない範囲（収束限界範囲）を規定するためのデータ）
角度：Θ3 ，Θ4 
大きさ：Ｒ3 ，Ｒ4 
【００２０】
補正ポイント検出回路２は、入力色差信号Ｕ，Ｖを極座標に変換し、得られた極座標データと補正範囲規定データと比較する。そして、入力色差信号Ｕ，Ｖで表される位置が、図２の補正範囲内にある場合には、上記（１）〜（３）で示すデータを補正量演算回路３に与える。
【００２１】
補正量演算回路３は、入力色差信号Ｕ，Ｖで表される位置が、図２の補正範囲内の領域Ｓ１〜Ｓ９のうちのいずれの領域に属しているかを判別する。そして、入力色差信号Ｕ，Ｖに対する補正ベクトルを算出する。この算出方法について説明する。
【００２２】
入力色差信号Ｕ，Ｖで表される位置が同一補正領域Ｓ５に属する場合には、その位置に対応する補正ベクトル＊ＹS5は、その位置のノルムをｒとすると、次式（１）に基づいて算出される。
【００２３】
＊ＹS5＝（ｒ×ｒy0／Ｒx0，θy0）    …（１）
【００２４】
入力色差信号Ｕ，Ｖで表される位置が収束補正領域Ｓｉ（ｉ＝１，２，３，４，６，７，８，９）に属する場合には、その位置に対応する補正ベクトルＹSiは、当該位置と当該領域Ｓｉの４頂点に対応する補正ベクトルとから算出される。
【００２５】
各収束補正領域Ｓｉの４頂点の補正ベクトルのうち、同一補正領域Ｓ５の４頂点を除く各頂点の補正ベクトル（図２に丸印で示す）はゼロベクトルである。各収束補正領域Ｓｉの４頂点の補正ベクトルのうち、同一補正領域Ｓ５の４頂点と同一の各頂点の補正ベクトル（図２に矢印で示す）は、上記式（１）に基づいて求められる。
【００２６】
図３を参照して、任意の収束補正領域内の任意の点Ｐ（Ｒx ，Θx ）の補正ベクトル＊ｐの算出方法について説明する。
【００２７】
収束補正領域の４頂点Ａ（ＲA ，ΘA ），Ｂ（ＲA ，ΘB ），Ｃ（ＲC ，ΘA ），Ｄ（ＲC ，ΘB ）の補正ベクトルをそれぞれ、＊ａ，＊ｂ，＊ｃ，＊ｄとする。また、線分ＡＣ，ＢＤを、それぞれｓ：１−ｓに内分する点をＥ，Ｆとすると、Ｅ，Ｆの補正ベクトル＊ｅ，＊ｆは、次式（２）に基づいて算出される。ただし、ｓ＝（Ｒx −ＲA ）／（ＲC −ＲA ）である。
【００２８】
＊ｅ＝ｓ×＊ｃ＋（１−ｓ）×＊ａ
＊ｆ＝ｓ×＊ｄ＋（１−ｓ）×＊ｂ          …（２）
【００２９】
また、原点と点Ｐを結ぶ直線と、原点と点Ａを結ぶ直線との間の角度をα（＝ΘA −Θx ）、原点と点Ｐを結ぶ直線と、原点と点Ｂを結ぶ直線との間の角度をβ（＝Θx −ΘB ）とすると、点Ｐの補正ベクトル＊ｐは、次式（３）に基づいて算出される。
【００３０】
＊ｐ＝（β×＊ｅ＋α×＊ｆ）／（α＋β）    …（３）
【００３１】
たとえば、入力色差信号Ｕ，Ｖで表される位置が、図２の収束補正領域Ｓ７に属している場合には、収束補正領域Ｓ７の４頂点Ａ，Ｂ，Ｃ，Ｄの極座標および当該４頂点に対応する補正ベクトル＊ａ，＊ｂ，＊ｃ，＊ｄは、次式（４）で示すようになる。
【００３２】
Ａ＝（Ｒx0−Ｒ1 −Ｒ3 ，Θx0−Θ2 ）
Ｂ＝（Ｒx0−Ｒ1 −Ｒ3 ，Θx0−Θ2 −Θ4 ）
Ｃ＝（Ｒx0−Ｒ1 ，Θx0−Θ2 ）
Ｄ＝（Ｒx0−Ｒ1 ，Θx0−Θ2 −Θ4 ）
＊ａ＝＊ｂ＝＊ｄ＝０
＊ｃ＝｛（Ｒx0−Ｒ1 ）×ｒy0／Ｒｘ0 ，θy0）      …（４）
【００３３】
収束補正領域Ｓ７の４頂点Ａ，Ｂ，Ｃ，Ｄの極座標および当該４頂点に対応する補正ベクトル＊ａ，＊ｂ，＊ｃ，＊ｄと、入力色差信号Ｕ，Ｖで表される位置の極座標とを用いて、上記式（２），（３）の演算を行うことにより、入力色差信号Ｕ，Ｖで表される位置に対応する補正ベクトルが求められる。
【００３４】
補正量演算回路３は、以上のようにして、極座標データで表された補正ベクトルを求めると、この補正ベクトルを直交座標データに変換して、色差合成回路４に与える。
【００３５】
上記実施例では、色差座標上において、予め設定された補正ポイントからある絶対値幅と角度幅で規定された範囲で、上記補正ポイントに対して設定された補正ベクトルが収束するように色補正を行っているので、細かい色補正が可能となる。また、予め設定された補正ポイントを中心に色補正が行われるため、より自然に色補正が行われ、鮮やかさの高い色で補正ベクトルが大きくなりすぎることや、白近傍（鮮やかさの低い色）が同時に補正されることを防ぐことができる。すなわち、補正したい色領域のみ、より自然に色補正が行える。
【図面の簡単な説明】
【００３６】
【図１】液晶プロジェクタに用いられた色補正回路の構成を示すブロック図である。
【図２】ＵＶ座標系において、１つの指定ポイントと、その指定ポイントに対応する補正範囲を示す模式図である。
【図３】任意の収束補正領域内の任意の点Ｐ（Ｒx ，Θx ）の補正ベクトル＊ｐの算出方法を説明するための模式図である。
【符号の説明】
【００３７】
１  色差変換回路
２  補正ポイント検出回路
３  補正量演算回路
４  色差合成回路
５  ＲＧＢ変換回路
【図１】
2005184209.tif 000003
【図２】
2005184209.tif 000004
【図３】
2005184209.tif 000005